(57)【要約】【課題】別途保護部材を取り付けることなく、金属板を切断した端面に形成されるシャープエッジで電線が傷つくのを防ぐことができる液晶表示ユニットを提供する。【解決手段】リヤフレーム１１と、バックライトユニット１２を押えるとともに正面側に液晶セル１４が配置された枠形状のセルガイド１３と、金属板を切り曲げて形成された枠状のベゼル１５とを有し、セルガイド１３の壁部１３２の先端部がベゼル１５の側壁部１５２の先端部よりもリヤ側に突出している液晶表示ユニット１。【選択図】図４
2011033742.tif 000002
【特許請求の範囲】
【請求項１】
リヤフレームと、
背面側で前記リヤフレームに配置されたバックライトを押え、正面側で液晶セルを支持する樹脂製枠形状のセルガイドと、
金属板を切り曲げて形成された側壁部を具備し、前記セルガイド及び前記液晶セルを正面側より押圧するとともに前記側壁部が前記リヤフレームの外部を囲むように配置されたベゼルとを有し、
前記セルガイドの辺縁部よりリヤ側に立設された壁部の先端部が前記セルガイドの辺縁部よりリヤ側に立設された側壁部の先端部よりもリヤ側に突出している液晶表示ユニットを提供する。
【請求項２】
前記セルガイドの前記壁部の先端部は少なくとも前記リヤフレームの背面に取り付けられた基板に接続されるケーブルが前記壁部及び前記側壁部をまたぐ部分及びその近傍で、前記側壁部よりリヤ側に突出している請求項１に記載の液晶表示ユニット。
【請求項３】
前記壁部の先端部の前記側壁部よりもリヤ側に突出している部分は外側に向かって突出する張り出し部を備えており、
前記張り出し部は前記側壁部よりも外側に突出している請求項１又は請求項２に記載の液晶表示ユニット。
【請求項４】
前記壁部の先端部の前記側壁部よりもリヤ側に突出している部分は前記ベゼルの前記側壁部の先端部を囲むように形成された保護部を備えている請求項１から請求項３のいずれかに記載の液晶表示ユニット。
【請求項５】
前記セルガイドの壁部と前記ベゼルの側壁部は接触している請求項１から請求項４のいずれかに記載の液晶表示ユニット。
【請求項６】
請求項１から請求項５に記載の液晶表示ユニットと、
前記液晶表示ユニットの背面に取り付けられた基板と、
筐体の内部に前記液晶表示ユニットと離れて取り付けられたスピーカとを備え、
前記スピーカが前記ベゼルの側壁を越えて前記基板に接続されるスピーカケーブルを備えている液晶テレビジョン受像機。
【発明の詳細な説明】
【技術分野】
【０００１】
本発明は、背面に取り付けられた配線基板に配線されるケーブルの破損を抑制することができる液晶表示ユニット及びその液晶表示ユニットを用いた液晶テレビジョン受像機に関するものである。
【背景技術】
【０００２】
近年、テレビジョン受像機として、薄型の液晶テレビジョン受像機が主流となりつつある。前記液晶テレビジョン受像機はフロントキャビネットと、リヤキャビネットと、前記フロントキャビネットと前記リヤキャビネットとの間に配置された液晶表示ユニットとを備えている。
【０００３】
液晶表示ユニットについて図面を参照して説明する。図８は液晶表示ユニットの分解斜視図である。図８に示す液晶表示ユニット９１は、金属製のリヤフレーム９１１と、リヤフレーム９１１に配置されたバックライトユニット９１２と、バックライトユニット９１２の正面側に配置されたセルガイド９１３と、セルガイド９１３の正面側に配置された液晶セル９１４と、金属板をきり曲げて形成し、液晶セル９１４及びセルガイド９１３を正面側に配置されたベゼル９１５とを備えている。
【０００４】
液晶表示ユニット９１において、リヤフレーム９１１は金属板を切り曲げて形成したものであり、液晶表示ユニット９１の外装の一部（背部及び上下側部）を構成している。バックライトユニット９２は液晶セル９１４のリヤ側から光を照射するものであり、反射シート、ランプ、ランプホルダ、拡散シート等を備えている。セルガイド９１３は樹脂製の枠体であり、背面側でバックライトユニット９１２を押リヤフレーム９１１に向けて押えている。また、セルガイド９１３の正面側は液晶セル９１４をバックライトユニット９１２と所定の間隔をあけるように支持している。なお、セルガイド９１３で、バックライトユニット９１２と液晶セル９１４とを支持していることで、バックライトユニット９１２と液晶セル９１４とを適切な距離を離して支持することができる。また、セルガイド９１３が絶縁性を有していることで、バックライトユニット９１２と液晶セル９１４との絶縁状態も維持することができる。
【０００５】
液晶セル９１４の辺縁部はセルガイド９１３に保持された状態で、セルガイド９１３とともにベゼル９１５に押圧されている。ベゼル９１５はリヤフレーム９１１に固定されている。ベゼル９１５を取り付けることで、バックライト９１２、セルガイド９１３及び液晶セル９１４がリヤフレーム９１１に固定される。液晶セル９１４は辺縁部をベゼル９１５に押圧されることで、反ったり、めくれたりといった変形を抑制されている。
【０００６】
ベゼル９１５は金属板を切断し、折り曲げることで形成された側壁部９１６を備えている。側壁部９１６を備えていることで、平板形状に比べて、ねじりや曲げに対する強度が高くなっている。そして、側壁部９１６がセルガイド９１３の側部と当接しており、その先端側でリヤフレーム９１１に固定されている。この側壁部９１６は液晶テレビジョン受像機のフロントキャビネットに配置されるとき、フロントキャビネットに形成された位置決めリブと接触するものであり、液晶表示ユニット９１の内部に配置されたバックライト９１１、液晶セル９１４に位置決めリブからの力が作用するのを抑制している。
【０００７】
液晶テレビジョン受像機では、本体の薄さもその特徴のひとつである。液晶テレビジョン受像機では、本体を薄くするために、配線基板がリヤフレーム９１１の背面に取り付けられている。配線基板には、各種電子部品や接続端子等が実装されており、フロントキャビネット及び（又は）リヤキャビネットに取り付けられたスピーカとケーブルで接続されている。
【０００８】
スピーカのケーブルは液晶表示ユニット９１のベゼル９１５の側壁部９１６をまたいで配線基板に接続される。ベゼル９１５は上述したように、切り曲げて形成されているものであり、その切断端部には鋭利に尖ったシャープエッジが形成されている。側壁部９１６の先端部にもシャープエッジが形成されており、ケーブルが移動するときに側壁部９１６の先端に形成されたシャープエッジと接触すると、ケーブルの被覆は傷つけられ、漏電、短絡、断線等の不具合が発生することがある。
【０００９】
そこで、シャープエッジとケーブル（電線）とが接触し、ケーブル（電線）が傷つく不具合が発生するのを抑制するために、シャープエッジを覆う保護部材（樹脂製のシート、粘着テープ等）を取り付け、シャープエッジとケーブルとの接触を抑制するものが採用されている（特開２００１−７５６９号公報参照）。
【先行技術文献】
【特許文献】
【００１０】
【特許文献１】特開２００１−７５６９号公報
【発明の概要】
【発明が解決しようとする課題】
【００１１】
しかしながら、前記シャープエッジと前記ケーブルとの接触を抑制するための保護部材を用いる場合、保護部材を別途用意しなくてはならず手間とコストがかかる。その取り付けもわずらわしい。また、粘着テープを保護部材としてシャープエッジに取り付けるものの場合、経年変化によって粘着テープの粘着力が低下し、添付場所から剥離してしまうことがある。また、粘着テープの粘着材が流れ出し、その粘着材に埃等が付着してしまうこともある。
【００１２】
また、特開２００１−７５６９号公報に記載のように、樹脂シートを保護部材として用いる場合、前記樹脂シートを別途用意しなくてはならないとともに、前記樹脂シートを正確に位置決めして、配置しなくてはならず製造の手間がかかる。
【００１３】
上記の課題をかんがみて本発明は、保護部材を別途取り付けることなく、金属板を切断した端面に形成されるシャープエッジで電線が傷つくのを防ぐことができる液晶表示ユニットこの液晶表示ユニットを用いた液晶テレビジョン受像機を提供することを目的とする。
【課題を解決するための手段】
【００１４】
上記目的を達成するために本発明は、リヤフレームと、背面側で前記リヤフレームに配置されたバックライトを押え、正面側で液晶セルを支持する樹脂製枠形状のセルガイドと、金属板を切り曲げて形成された側壁部を具備し、前記セルガイド及び前記液晶セルを正面側より押圧するとともに前記側壁部が前記リヤフレームの外部を囲むように配置されたベゼルとを有し、前記セルガイドの辺縁部よりリヤ側に立設された壁部の先端部が前記セルガイドの辺縁部よりリヤ側に立設された側壁部の先端部よりもリヤ側に突出している液晶表示ユニットを提供する。
【００１５】
この構成によると、前記セルガイドの前記壁部の先端部が前記ベゼルの前記側壁部の先端部よりもリヤ側に突出して形成されている。液晶表示ユニットの背面に配置される基板に対して、ケーブルが前記側壁部をまたいで配線された場合であっても、前記ケーブルは前記壁部と接触するので、前記ベゼルの先端部に形成された尖った辺部（シャープエッジ）との接触が抑制される。
【００１６】
これにより、前記ケーブルが前記シャープエッジでこすれて、被覆がはがれてショートしたり、ケーブル自体が断線してしまったりする不具合が発生するのを抑制することができる。また、前記セルガイドは前記液晶表示ユニットが完成したのちは、前記ベゼルと前記リヤフレームとに挟まれて配置されているので、前記セルガイドは前記ベゼルに対して移動しない。これにより、前記液晶表示ユニットに振動や衝撃が作用したり、経年変化等の環境変化があったりしても、前記側壁部のシャープエッジが前記ケーブルと接触する緒を抑制することができる。長期間にわたり安定して駆動される液晶表示ユニットを提供することができる。
【００１７】
上記構成において、前記セルガイドの前記壁部の先端部は少なくとも前記リヤフレームの背面に取り付けられた基板に接続されるケーブルが前記壁部及び前記側壁部をまたぐ部分及びその近傍で、前記側壁部よりリヤ側に突出していてもよい。
【００１８】
上記構成において、前記壁部の先端部の前記側壁部よりもリヤ側に突出している部分は外側に向かって突出する張り出し部を備えており、前記張り出し部は前記側壁部よりも外側に突出していてもよい。
【００１９】
上記構成において、前記壁部の先端部の前記側壁部よりもリヤ側に突出している部分は前記ベゼルの前記側壁部の先端部を囲むように形成された折り返し部を備えていてもよい。
【００２０】
上記構成において、前記セルガイドの壁部と前記ベゼルの側壁部は接触していてもよい。
【００２１】
上記構成の液晶表示ユニットが備えられている電子機器として、前記液晶表示ユニットの背面に取り付けられた基板と、筐体の内部に前記液晶表示ユニットと離れて取り付けられたスピーカとを備え、前記スピーカが前記ベゼルの側壁を越えて前記基板に接続されるスピーカケーブルを備えている液晶テレビジョン受像機を挙げることができる。
【発明の効果】
【００２２】
本発明によると、別途保護部材を取り付けることなく、金属板を切断した端面に形成されるシャープエッジで電線が傷つくのを防ぐことができる液晶表示ユニット及びこの液晶表示ユニットを用いた液晶テレビジョン受像機を提供することができる。
【図面の簡単な説明】
【００２３】
【図１】液晶テレビジョン受像機のフロントキャビネットとリヤキャビネットとを分解した状態の斜視図である。
【図２】本発明にかかる液晶表示ユニットをフロントキャビネットに取り付けた状態をリヤ側から見た図である。
【図３】図１に示す液晶表示ユニットの分解斜視図である。
【図４】図２に示す液晶表示ユニットをＸ−Ｘ線で切断したときの拡大断面図である。
【図５】液晶表示ユニットの壁部及び側壁部の部分を拡大した拡大断面図である。
【図６】本発明にかかる液晶表示ユニットの他の例の壁部及び側壁部の部分を拡大した拡大断面図である。
【図７】本発明にかかる液晶表示ユニットのさらに他の例の壁部及び側壁部の部分を拡大した拡大断面図である。
【図８】液晶表示ユニットの分解斜視図である。
【発明を実施するための形態】
【００２４】
以下に、本発明にかかる実施形態について、図面を参照して説明する。図１は液晶テレビジョン受像機のフロントキャビネットとリヤキャビネットとを分解した状態の斜視図であり、図２は本発明にかかる液晶表示ユニットをフロントキャビネットに取り付けた状態をリヤ側から見た図である。
【００２５】
図１に示すように、液晶テレビジョン受像機Ａは、液晶表示ユニット１と、液晶表示ユニット１の正面側をカバーするフロントキャビネット２と、液晶表示ユニット１のリヤ側をカバーするリヤキャビネット３とを有している。また、図示を省略しているが、リヤキャビネット３には、スタンドが取り付けられている。フロントキャビネット２及びリヤキャビネット３はそれぞれ、樹脂の成型品である。
【００２６】
図１に示すように、フロントキャビネット２は正面視横長の長方形状であり、正面の外縁から背面に向かって立設された側壁２０を備えている。フロントキャビネット２の中央上部には、長方形状の開口２１が形成されている。液晶表示ユニット１はフロントキャビネット２のリヤ側に配置されており、開口２１から画像表示部が見えるように位置決めされ、ねじ止めにてフロントキャビネット２に固定される。
【００２７】
リヤキャビネット３は、長方形状の背面を有しており、長方形状の外縁より正面側に立設された側壁３０を備えている。フロントキャビネット２のリヤ側に液晶表示ユニット１を固定した後、フロントキャビネット２の側壁２０と、側壁３０が重なるようにリヤキャビネット３を配置する。そして、リヤキャビネット３側からねじ止めして固定する。なお、ねじ止めはフロントキャビネット２と固定するものであるが、液晶表示ユニット１をとも締めするようにしてもよい。
【００２８】
図２に示すように、液晶表示ユニット１はフロントキャビネット２の背面の中心よりも上側に配置されている。フロントキャビネット２の液晶表示ユニット１の下部には隙間が形成されており、この隙間の左右両端部に１個ずつ合計２個のスピーカ４が配置されている。スピーカ４にはスピーカ４を駆動する駆動信号が送られるスピーカケーブル４１が取り付けられている。図２に示すように、スピーカケーブル４１は液晶表示ユニット１のリヤ側に取り付けられている配線基板ＰＢと接続されている。
【００２９】
つぎに、液晶表示ユニット１について図面を参照して詳しく説明する。図３は図１に示す液晶表示ユニットの分解斜視図である。なお、図３の分解斜視図は説明の便宜上、正面側が上となるように表示している。
【００３０】
図３に示すように、液晶表示ユニット１は、外装の一部となる正面視長方形状のリヤフレーム１１と、リヤフレーム１１の正面側（図２中では上側、以下同じ）に配置されるバックライトユニット１２と、バックライトユニット１２の正面側に配置される長方形枠状のセルガイド１３と、セルガイド１３の正面側に配置される長方形状の液晶セル１４と、最も正面側に配置される長方形枠状のベゼル１５とを備えている。
【００３１】
リヤフレーム１１は金属板をプレス加工にて切り曲げて形成されているものである。リヤフレーム１１の長辺には壁部が形成されており、正面側の面にはバックライトユニット１２から照射された光を反射する反射シート（不図示）が取り付けられている。リヤフレーム１１の正面側にバックライトユニット１２が近接配置される。バックライトユニット１２は、液晶表示ユニット１の光源である。バックライトユニット１２は冷陰極管を含むランプ、ランプ及び反射シートからの光を拡散させる拡散板、拡散板の拡散効果をさらに高める拡散シート（いずれも不図示）を備えている。
【００３２】
セルガイド１３は正面視長方形枠状の部材である。セルガイド１３は正面側に形成され液晶セル１４を映像表示部（不図示）が正面側となるように支持する段形状のセル支持部１３１と、セル支持部１３１の外縁部よりリヤ側に伸びる壁部１３２とを備えている。セルガイド１３は樹脂製である。
【００３３】
セルガイド１３のセル支持部１３１は背面側でバックライトユニット１２を押えるとともに、正面側で液晶セル１４を映像表示部が正面となるように支持している。セルガイド１３は背面側でバックライト１２を押えるとともに、正面側で液晶セル１４を支持している。このように、セルガイド１３を挟むことでバックライト１２と液晶セル１４との間に空間が形成され、バックライト１２から出射された光は拡散し、むらなく液晶セル１４に入射される。また、セルガイド１３はセル支持部１３１でバックライトユニット１２を押え、液晶セル１４を支持していることで、液晶セルを適切な位置（バックライトユニット１２に対して適切な位置）で保持している。さらに、セルガイド１３が絶縁性を有する樹脂で形成されていることで、バックライト１２と液晶セル１４との間は絶縁状態が維持される。
【００３４】
液晶セル１４は透明電極が形成された２枚のガラス基板を平行に配置し、その隙間に液晶が充填され、周囲を封止した構成を有している。液晶セル１４は画素ごとに形成された透明電極間の電圧を調整し、液晶の結晶方向（例えば、ねじれ方向）を調整する。液晶は結晶方向が変化することで、バックライトユニット１２より出射された光を遮断したり透過したりすることができる。液晶セル１４は画素ごとに光の透過を調整することで、画像表示部に画像を表示する。
【００３５】
ベゼル１５は金属板を切り曲げて形成された長方形状の枠体である。ベゼル１５は液晶セル１４の正面側の辺縁部を押えるための枠状部１５１と、枠状部１５１の外側の部分をリヤ側に折り曲げて形成された側壁部１５２とを備えており断面Ｌ字状である。ベゼル１５はＬ字状の断面形状を有することで、ねじり及び曲げに対する強度を高めている。
【００３６】
ベゼル１５は、セルガイド１３がバックライトユニット１２を押し、且つ、液晶セル１４を支持した状態で、正面側からセルガイド１３及び液晶セル１４の辺縁を押えるようにとりつけられる。ベゼル１５は液晶セル１４を正面側から押え、液晶セル１４のめくれや浮き上がり等の変形を抑制している。ベゼル１５はリヤフレーム１１に連結される。このとき、セルガイド１３はベゼル１５及びリヤフレーム１１とともに固定されており、バックライトユニット１２及び液晶セル１４もリヤフレーム１１に固定される。
【００３７】
液晶表示ユニット１がフロントキャビネット２に取り付けられるとき、液晶表示ユニット１の側部、すなわち、ベゼル１５の側壁部１５２がフロントキャビネット２に備えられている位置決め用のリブと当接される。側壁部１５２はリヤ側に伸びて形成されているため、側壁部１５２が位置決め用のリブと当接し、内部の液晶セル１４等に位置決めリブ空の力が作用するのを抑制している。
【００３８】
次に、液晶表示ユニット１のベゼル１５の側壁部１５２とセルガイド１３の壁部１３２とについて図面を参照して詳しく説明する。図４は図２に示す液晶表示ユニットをＸ−Ｘ線で切断したときの拡大断面図である。
【００３９】
図２、図４等に示すように、スピーカ４に取り付けられているスピーカケーブル４１は配線基板ＰＢと接続されている。このとき、スピーカケーブル４１は液晶表示ユニット１のベゼル１５の側壁部１５２をまたぐように配線されている。
【００４０】
ベゼル１５は金属板をプレス加工にて切り曲げて作製されるものであり、切断面の工具が当接されていたのと反対側の面との角部は、鋭く尖った辺、いわゆる、シャープエッジ１５３が形成される。ベゼル１５の場合、切断加工とプレス加工とを同時に行うので、側壁部１５２の先端部の内側にシャープエッジ１５３が形成される（図４参照）。
【００４１】
図４に示すように、セルガイド１３の壁部１３２はその先端部がベゼル１５の側壁部１５２の先端部よりもリヤ側（図中右側）に突出するように形成されている。なお、セルガイド１３は樹脂の成型品であり、壁部１３２の端部には電線（スピーカケーブル４１）を傷つけるようなシャープエッジは形成されない。
【００４２】
液晶テレビジョン受像機Ａの移動等により、スピーカケーブル４１が液晶テレビジョン受像機Ａの内部で移動する（暴れる）場合がある。スピーカケーブル４１は、移動するときに側壁部１５２の先端部のシャープエッジ１５３と接近することがある。しかしながら、液晶表示ユニット１では、セルガイド１３の壁部１３２が側壁部１５２よりもリヤ側に突出して形成されており、スピーカケーブル４１が壁部１３２の先端部と先に接触し、シャープエッジ１５３との接触は抑止される。これにより、スピーカケーブル４１が移動した（暴れた）場合であっても、スピーカケーブル４１がシャープエッジ１５３と接触し、断線、短絡等の不具合の発生が抑制される。
【００４３】
また、セルガイド１３の壁部１３２は液晶表示ユニット１を構成している部材の一部であるので、別途、シャープエッジ対策用の部材を用いなくてもよく、構成部材を少なくすることができる。また、セルガイド１３はベゼル１５とリヤフレーム１１に挟まれて固定されるので、液晶表示ユニット１の組立て完成後は、壁部１３２の先端部が常にシャープエッジ１５３よりもリヤ側に配置される。壁部１３２はずれることがなく、長期間にわたり、安定してスピーカケーブル４１の破損を抑制することができる。
【００４４】
なお、液晶表示ユニット１において、壁部１３２はその先端部全てが側壁部１５２の先端部よりもリヤ側に突出しているが、それに限定されるものではなく、例えば、スピーカケーブル４１が側壁部１５２のシャープエッジ１５３と接触する可能性のある範囲だけ、側部１３２の先端部が側壁部１５２の先端部よりもリヤ側に突出するように形成されていてもよい。このとき、リヤ側に突出している先端部の両端部が中間部分よりもリヤ側に突出した形状となっているものを挙げることができる。この構成によると、スピーカケーブル４１がコネクタ（不図示）が外れるくらいに大きく移動した場合、スピーカケーブル４１は両端部のリヤ側に突出した部分を越えにくいので、シャープエッジ１５３と接触しにくく、断線、短絡しにくい。
【００４５】
ベゼルの側壁部とセルガイドの壁部の他の例について図面を参照して説明する。図５は液晶表示ユニットの壁部及び側壁部の部分を拡大した拡大断面図である。図５に示すように壁部１３２は側壁部１５２の内側と接触している。
【００４６】
液晶表示ユニット１において、側壁部１５２の先端部の内側は、側壁部１５２よりもリヤ側に突出するように形成されたセルガイド１３の壁部１３２と接触している。これにより、側壁部１５２の先端部に形成されたシャープエッジ１５３は壁部１３２と当接しており、液晶表示ユニット１の外部に露出しないようになっている。
【００４７】
側壁部１５２のシャープエッジ１５３がセルガイド１３の壁部１３２と当接して隠されているので、リヤキャビネット３を取り付けるとき等、誤ってスピーカケーブル４１が壁部１３２と側壁部１５２の間に押し込まれ、スピーカケーブル４１がシャープエッジ１５３と接触してしまうのを抑制することができる。これにより、スピーカケーブル４１がシャープエッジ１５３でこすれ、スピーカケーブル４１の被覆が外れてショートしたり、スピーカケーブル４１が断線してしまったりといった不具合が発生するのを抑制することができる。
【００４８】
ベゼルの側壁部とセルガイドの壁部の他の例について図面を参照して説明する。図６は本発明にかかる液晶表示ユニットの他の例の壁部及び側壁部の部分を拡大した拡大断面図である。図６に示す液晶表示ユニットはセルガイド１６が異なる以外は、図４に示す液晶表示ユニットと同様の構成を有するものであり、実質上同じ部分には同じ符号が付してある。
【００４９】
図６に示すように、セルガイド１６は壁部１６２のリヤ側の先端部に外側に突出する張り出し部１６３を備えている。張り出し部１６３がベゼル１５の側壁部１５２のリヤ側の端面と対向するように配置されているので、スピーカケーブル４１が無理やり押された場合であっても、スピーカケーブル４１が壁部１６２と側壁部１５２との間に入りにくく、スピーカケーブル４１がシャープエッジ１５３と接触するのを抑制することができる。
【００５０】
ベゼルの側壁部とセルガイドの壁部のさらに他の例について図面を参照して説明する。図７は本発明にかかる液晶表示ユニットのさらに他の例の壁部及び側壁部の部分を拡大した拡大断面図である。図６に示す液晶表示ユニットはセルガイド１７が異なる以外は、図４に示す液晶表示ユニットと同様の構成を有するものであり、実質上同じ部分には同じ符号が付してある。
【００５１】
図７に示すようにセルガイド１７は壁部１７２の先端部に外側に折り返して形成された折り返し部１７３を備えている。図７に示すようにベゼル１５の側壁部１５２の先端部は折り返し部１７３で囲まれた領域の中に配置されている。これにより、側壁部１５２の先端部に形成されているシャープエッジ１５３は折り返し部１７３の中に配置されるので、シャープエッジ１５３とスピーカケーブル４１との接触を防止することが可能である。
【００５２】
ベゼル１５の折り曲げ加工が不十分で側壁部１５２がリヤ側に向かって開いていたり、ひずんでいたりしても、側壁部１５２の先端部が折り返し部１７３内に配置されるので、ベゼル１５を取り付けるときにセルガイド１７に対して正確に位置決めすることができる。これにより、ベゼル１５によってバックライトユニット１２及び液晶セル１４が正確に位置決めされる。以上のことにより、液晶表示ユニット１の製造における不良の発生を抑制し、歩留まりを上げることが可能である。
【００５３】
上述の各実施形態において、シャープエッジ１５３が形成されたベゼル１５を越えて配線されるケーブルとして、スピーカ４に取り付けられているスピーカケーブル４１を挙げているが、それに限定されるものではなく、フロントキャビネット２に取り付けられた電子部品、例えばスイッチ、リモートコントローラー用センサ、ＬＥＤ、外部基板等と配線基板とを接続するケーブルに対しても同様のショート、断線等のケーブルの不具合を抑制することができる。また、フロントキャビネット２に取り付けられているものに限定されるものではなく、配線基板に接続され液晶表示ユニット１の外側に取り付けられる部材の接続ケーブルすべてに対して有効である。
【産業上の利用可能性】
【００５４】
本発明は、液晶表示ユニットに取り付けられた基板に接続される配線を備えた液晶テレビジョン受像機に利用することが可能である。
【符号の説明】
【００５５】
１  液晶表示ユニット
１１  リヤフレーム
１２  バックライトユニット
１３  セルガイド
１３１  セル支持部
１３２  壁部
１４  液晶セル
１５  ベゼル
１５１  枠状部
１５２  側壁部
２  フロントキャビネット
３  リヤキャビネット
４  スピーカ
４１  スピーカケーブル
【図１】
2011033742.tif 000003
【図２】
2011033742.tif 000004
【図３】
2011033742.tif 000005
【図４】
2011033742.tif 000006
【図５】
2011033742.tif 000007
【図６】
2011033742.tif 000008
【図７】
2011033742.tif 000009
【図８】
2011033742.tif 000010